(57)【要約】【課題】挿入された異物をカードとして取り扱うことのないカード情報読み取り装置を提供する。【解決手段】挿入口１ｂにカード幅Ｗ２の物体が挿入されたか否かを検出するカード幅検出センサ３と、挿入口１ｂ近傍の通路１ｃの磁界の変化に基づいて挿入口１ｂに磁性体が挿入されたか否かを検出する磁性体検出センサ４とを設ける。挿入口１ｂに物体が挿入されると、カード幅検出センサ３によるカード幅Ｗ２の検出と、磁性体検出センサ４による磁性体の検出がある場合に、ＩＣカードが挿入されたと判別し、カード幅検出センサ３によるカード幅Ｗ２の検出と、磁性体検出センサ４による磁性体の検出のいずれかがない場合に、異物が挿入されたと判別する。そして、ＩＣカードが挿入されたと判別した場合にのみ、シャッタ５を開けてＩＣカード２を内部に取り込み、カード情報を読み取る。【選択図】図２
2010009617.tif 000002
【特許請求の範囲】
【請求項１】
カードが挿入される挿入口と、本体内部に設けられカードに記録された情報を読み取る読み取り手段と、前記挿入口から本体内部に通じるカード通路とを備えたカード情報読み取り装置において、
前記挿入口に所定の幅の物体が挿入されたか否かを検出する幅検出手段と、
磁界を発生させるとともに、前記挿入口近傍の当該磁界の変化に基づいて前記挿入口に磁性体が挿入されたか否かを検出する磁性体検出手段と、
前記幅検出手段の検出結果と前記磁性体検出手段の検出結果とに基づいて所定のカードが挿入されたか否かを判別する判別手段と、
を備えたことを特徴とするカード情報読み取り装置。
【請求項２】
請求項１に記載のカード情報読み取り装置において、
前記カード通路に設けられカードが本体内部に進入することを規制するシャッタと、
前記シャッタの開閉を制御する開閉制御手段と、を備え、
前記幅検出手段は、前記シャッタよりも挿入口側で所定の幅の物体が挿入されたか否かを検出し、
前記磁性体検出手段は、前記シャッタよりも挿入口側で磁性体が挿入されたか否かを検出し、
前記開閉制御手段は、前記判別手段で前記判別が行われるまでは、前記シャッタを閉じておき、前記判別手段でカードが挿入されたと判別された場合にのみ、前記シャッタを開くことを特徴とするカード情報読み取り装置。
【請求項３】
請求項１または請求項２に記載のカード情報読み取り装置において、
前記読み取り手段は、前記判別手段でカードが挿入されたと判別された場合にのみ、情報の読み取りを行うことを特徴とするカード情報読み取り装置。
【請求項４】
請求項１ないし請求項３のいずれかに記載のカード情報読み取り装置において、
前記磁性体検出手段は、カードの所定の位置に備わる磁性体が前記カード通路を通る位置で磁性体が挿入されたか否かを検出し、
前記判別手段は、前記幅検出手段による所定の幅の物体の挿入検出があり、かつ前記磁性体検出手段による磁性体の挿入検出がある場合に、カードが挿入されたと判別し、前記幅検出手段による所定の幅の物体の挿入検出と前記磁性体検出手段による磁性体の挿入検出のいずれかがない場合に、異物が挿入されたと判別することを特徴とするカード情報読み取り装置。
【請求項５】
カードが挿入される挿入口と、前記挿入口から本体内部に通じるカード通路と、前記カード通路に設けられた開閉可能なシャッタと、前記シャッタよりも前記挿入口側に設けられ磁界の変化に基づいて磁性体を検出するサーチコイルと、前記本体内部に設けられたＩＣ接点と、制御部とを有するＩＣカードリーダであって、
前記制御部は、前記サーチコイルによって磁性体が検出されたときに前記挿入口にＩＣカードが挿入されたと判断して前記シャッタを開け、前記カード通路を介して前記ＩＣカードを前記本体内部に搬送するとともに前記ＩＣ接点によって前記ＩＣカードの情報を読み取ることを特徴とするＩＣカードリーダ。
【請求項６】
請求項５に記載のＩＣカードリーダにおいて、
前記サーチコイルをそれぞれ異なる位置に２つ設けたことを特徴とするＩＣカードリーダ。
【発明の詳細な説明】
【技術分野】
【０００１】
本発明は、カードに記録された情報を読み取るカード情報読み取り装置に関し、特に、挿入口に挿入された物体がカードか異物かを判別するものに関する。
【背景技術】
【０００２】
カードに記録された情報を読み取るカード情報読み取り装置として、カードリーダがある。カードリーダは、接触式ＩＣカード、非接触式ＩＣカード、または磁気カードのようなカードが挿入口から挿入されて本体内部に進入して来ると、ＩＣ接点やアンテナや磁気ヘッド等の読み取り手段によってカードに対して情報の読み取りを行う。このようなカードリーダでは、カード以外の異物が挿入口に挿入された場合に、それをカードとして取り扱うと、異物によるカード通路の詰まりや本体内部の部品の損傷等といった異常が発生してしまうため、異物をカードとして取り扱わないようにする対策が従来から必要となっている。
【０００３】
上記の対策として、例えば下記の特許文献１のカードリーダでは、カード通路を開閉するシャッタと、シャッタよりも挿入口側のカード通路にカードの幅以下のピッチで配設した２つのフォトインタラプタとを設けている。そして、２つのフォトインタラプタの両方が挿入口に挿入された物体を検出している場合にのみ、シャッタを開放することで、カードよりも幅の狭い異物が挿入されても、シャッタを開放しないようにしている。また、下記の特許文献２や特許文献３のカードリーダでは、特許文献１のようにフォトインタラプタを設けずに、カードに押されてカード幅方向に移動する一対のカード検出片をカードの幅以下の間隔で設けている。そして、一対のカード検出片が挿入口から挿入された物体によって両方とも移動した場合にのみ、シャッタを開放することで、カードよりも幅の狭い異物が挿入されても、シャッタを開放しないようにしている。
【０００４】
一方、磁気カード用のカードリーダには、挿入口に挿入された物体の幅が所定の幅であるか否かを検出するセンサと、挿入された物体が磁気ストライプを備えているか否かを検出する磁気ヘッドとを挿入口近傍に設けているものがある。このようなカードリーダでは、センサが所定の幅を検出し、かつ磁気ヘッドが磁気ストライプを検出した場合にのみ、挿入された物体を磁気カードと判別して、情報の読み取り処理等を行うようにしている。
【先行技術文献】
【特許文献】
【０００５】
【特許文献１】特開平８−５５２５８号公報
【特許文献２】特開平８−５５２５９号公報
【特許文献３】特開平１１−８５９１６号公報
【発明の概要】
【発明が解決しようとする課題】
【０００６】
上述したように特許文献１〜３のカードリーダは、挿入口に挿入された物体の幅が所定の幅であるか否かによって、その物体がカードか異物かを判別している。しかし、このようなカードリーダでは、不正を働こうとする第三者によって、例えばカードの幅と略同幅の異物が挿入口に挿入された場合は、それをカードであると判別して取り扱ってしまう。このため、特許文献１〜３のようにシャッタを設けたカードリーダでは、シャッタを開放してしまうので、異物がカード通路に詰まったり、異物が本体内部に進入して内部の部品を傷つけたりする。また、進入した異物に対して読み取り手段で情報の読み取り処理を行おうとすると、読み取り手段が破損する。一方、上述した磁気カード用のカードリーダでは、物体の幅の検出結果と磁気ストライプ有無の検出結果とに基づいて、挿入された物体が磁気カードか異物かを判別しているが、この方法は、接触式や非接触式のＩＣカードを取り扱うカードリーダには適用することができない。
【０００７】
本発明は、上記問題点を解決するものであって、その課題とするところは、挿入された異物をカードとして取り扱うことのないカード情報読み取り装置を提供することにある。
【課題を解決するための手段】
【０００８】
本発明では、カードが挿入される挿入口と、本体内部に設けられカードに記録された情報を読み取る読み取り手段と、挿入口から本体内部に通じるカード通路とを備えたカード情報読み取り装置において、挿入口に所定の幅の物体が挿入されたか否かを検出する幅検出手段と、磁界を発生させるとともに、挿入口近傍の当該磁界の変化に基づいて挿入口に磁性体が挿入されたか否かを検出する磁性体検出手段と、幅検出手段の検出結果と磁性体検出手段の検出結果とに基づいて所定のカードが挿入されたか否かを判別する判別手段とを設ける。なお、磁性体検出手段が検出対象とする磁性体としては、例えば鉄やニッケルなどの強磁性体、アルミニウムや白金などの常磁性体、銅や金などの反磁性体がある。
【０００９】
上記のように、挿入口に挿入された物体の幅を幅検出手段で検出するのに加えて、その物体が磁性体か否かを磁性体検出手段で検出すると、正規のカードは規格等で幅が一定に決められていて、所定の位置に磁性体（例えば、接触式のＩＣカードであればＩＣ接点やＩＣ、非接触式のＩＣカードであればＩＣやコイル、磁気カードであれば磁気ストライプ等）を備えているので、正規のカードが挿入された場合は、それをカードであると判別することができる。また、所定の幅を有しているが磁性体のない異物が挿入された場合は、それを異物であると判別することができる。このため、カードであると判別した場合にのみ、挿入された物体をカードとして取り扱うことで、異物をカードとして取り扱わなくなる。
【００１０】
また、本発明の実施形態では、カード通路に設けられカードが本体内部に進入することを規制するシャッタと、シャッタの開閉を制御する開閉制御手段とを設けていて、幅検出手段は、シャッタよりも挿入口側で所定の幅の物体が挿入されたか否かを検出し、磁性体検出手段は、シャッタよりも挿入口側で磁性体が挿入されたか否かを検出し、開閉制御手段は、判別手段で判別が行われるまでは、シャッタを閉じておき、判別手段でカードが挿入されたと判別された場合にのみ、シャッタを開く。このようにすると、異物が挿入口に挿入されても、カードであると判別されず、シャッタが開かれないので、異物が本体内部に進入することはなく、シャッタの近傍やこれより本体内部側のカード通路で異物が詰まったり、本体内部の部品が異物によって損傷したりするのを防止することができる。
【００１１】
また、本発明の実施形態では、読み取り手段は、判別手段でカードが挿入されたと判別された場合にのみ、情報の読み取りを行う。このようにすると、異物が挿入口に挿入されても、カードであると判別されず、その異物に対して情報の読み取りが行われないので、読み取り手段が破損するのを防止することができる。
【００１２】
また、本発明の実施形態では、磁性体検出手段は、カードの所定の位置に備わる磁性体がカード通路を通る位置で磁性体が挿入されたか否かを検出する。この場合、判別手段は、幅検出手段による所定の幅の物体の挿入検出があり、かつ磁性体検出手段による磁性体の挿入検出がある場合に、カードが挿入されたと判別し、幅検出手段による所定の幅の物体の挿入検出と磁性体検出手段による磁性体の挿入検出のいずれかがない場合に、異物が挿入されたと判別する。このようにすると、正規のカードが挿入された場合は、それをカードであると判別することができ、また、所定の幅を有していない異物や、所定の幅を有しているが所定の位置に磁性体がない異物が挿入された場合は、それらを異物であると判別することができる。
【００１３】
次に、本発明に係るＩＣカードリーダは、カードが挿入される挿入口と、挿入口から本体内部に通じるカード通路と、カード通路に設けられた開閉可能なシャッタと、シャッタよりも挿入口側に設けられ磁界の変化に基づいて磁性体を検出するサーチコイルと、本体内部に設けられたＩＣ接点と、制御部とを有するＩＣカードリーダであって、制御部は、サーチコイルによって磁性体が検出されたときに挿入口にＩＣカードが挿入されたと判断してシャッタを開け、カード通路を介してＩＣカードを本体内部に搬送するとともにＩＣ接点によってＩＣカードの情報を読み取る。
【００１４】
本発明の実施形態では、上記ＩＣカードリーダにおいて、サーチコイルをそれぞれ異なる位置に２つ設ける。
【発明の効果】
【００１５】
本発明によれば、挿入口に挿入された物体の幅を幅検出手段で検出するのに加えて、その物体が磁性体か否かを磁性体検出手段で検出するので、正規のカードが挿入された場合は、それをカードであると判別することができ、所定の幅を有しているが磁性体のない異物が挿入された場合は、それを異物であると判別することができる。このため、カードであると判別した場合にのみ、挿入された物体をカードとして取り扱うことで、異物をカードとして取り扱わないようにすることができる。
【図面の簡単な説明】
【００１６】
【図１】第１実施形態のＩＣカードリーダの概略構造図である。
【図２】第１実施形態のＩＣカードリーダの概略構造図である。
【図３】第１実施形態のＩＣカードリーダの概略構造図である。
【図４】第１実施形態のブロック図である。
【図５】第１実施形態のＩＣカード挿入状態を示す図である。
【図６】第１実施形態の異物挿入状態を示す図である。
【図７】第１実施形態の異物挿入状態を示す図である。
【図８】第１実施形態のフローチャートである。
【図９】第２実施形態のＩＣカードリーダの概略構造図である。
【図１０】第２実施形態のＩＣカードリーダの概略構造図である。
【図１１】第２実施形態のブロック図である。
【図１２】第２実施形態のＩＣカード挿入状態を示す図である。
【図１３】第２実施形態の異物挿入状態を示す図である。
【図１４】第２実施形態のフローチャートである。
【図１５】第３実施形態のＩＣカード挿入状態を示す図である。
【図１６】第３実施形態の異物挿入状態を示す図である。
【図１７】第３実施形態のフローチャートである。
【発明を実施するための形態】
【００１７】
図１〜図８は、本発明の第１実施形態を示す図である。まず、本実施形態に係るカード情報読み取り装置の一例であるＩＣカードリーダの概略構造を図１〜図３を参照しながら説明する。なお、図１はＩＣカードリーダの断面図、図２は同上面図、図３は同正面図である。図１において、１００はＩＣカードリーダであって、例えば自動現金取引処理装置のような上位装置３０（図４に図示）に搭載されて接続されている。１はＩＣカードリーダ１００の本体、１ａは本体１の内部空間（以下、本体内部と記す）である。２はＩＣカードであって、内部に情報を記録するＩＣ（図示省略）が埋め込まれている。内部のＩＣからの情報の読み取りは、ＩＣカード２の表面の所定の位置に備わるＩＣ接点２ａ（図２）を介して行われる。ＩＣ接点２ａは銅パターンで構成され、この銅パターンの上にニッケルメッキおよび金メッキが施されている。カード２におけるＩＣ接点２ａの位置や、カード２の大きさは、規格等で規定された通りである。１ｂはカード２がＦ方向に挿入される挿入口、１ｃは挿入口１ｂから本体内部１ａに通じるカード通路である。なお、図２に示すようにカード通路１ｃの幅Ｗ１は、カード２が傾くことなくＦ、Ｂ方向に移動できるようにカード２の幅Ｗ２より若干大きく形成されている。
【００１８】
５はカード通路１ｃに設けられたシャッタであって、ソレノイドによって上下方向Ｕ、Ｄ（図１）に開閉する。このシャッタ５は、カード２の挿入口１ｂから本体内部１ａへの進入または本体内部１ａから挿入口１ｂへの排出を規制する。図１では、シャッタ５が開いた状態を実線で示し、シャッタ５が閉じた状態を破線で示している。３はフォトインタラプタから構成されるカード幅検出センサである。カード幅検出センサ３は、図２および図３に示すように挿入口１ｂ近傍の通路１ｃのＬ方向側の側面に設置されている。このセンサ３は、シャッタ５よりも挿入口１ｂ側で、カード幅Ｗ２と略同一の幅を有する物体が挿入されたか否かを検出する。例えば、カード２が挿入口１ｂから挿入されると、センサ３は、通路１ｃに沿ってＦ方向に入って行くカード２のＬ方向側の端部２ｂを検出して、ＯＦＦ状態からＯＮ状態に切り替わり、その切り替わり信号を制御部１１（図４に図示）に出力する。また、カード幅Ｗ２より小さな幅を有する物体が挿入口１ｂから挿入されると、センサ３はその物体を検出することなくＯＦＦ状態を維持する。
【００１９】
４はホール素子と磁石とから構成される磁性体検出センサである。磁性体検出センサ４は、図３に示すように挿入口１ｂ近傍の通路１ｃのＵ方向側で、カード２のＩＣ接点２ａが通る位置Ｘ（図２に図示）に配置されている。このセンサ４は、シャッタ５よりも挿入口１ｂ側で磁石により発生させている磁界の変化に基づき、挿入口１ｂに金属等の磁性体が挿入されたか否かを検出する。例えば、カード２が挿入口１ｂから挿入されると、磁性体であるＩＣ接点２ａが近づくことによって磁石の磁界が変化するので、ホール素子がこの変化を検知して所定値の電圧を制御部１１に出力する。また、カード２と同様の位置に磁性体を備えていない物体が挿入口１ｂから挿入されると、磁石の磁界が殆ど変化しないので、ホール素子が上記のＩＣ接点２ａ接近時とは異なる所定値の電圧を制御部１１に出力する。
【００２０】
図１に示す６ａ、６ｂはモータ１５（図４に図示）によって回転する上下１対のローラであって、モータ１５が正転駆動するとカード２をＦ方向へ搬送し、モータ１５が逆転駆動するとカード２をＢ方向へ搬送する。なお、Ｆ方向側のローラ６ｂは、ＩＣカードリーダ１００のＦ方向側に設置される上位装置３０の回収箱（図示省略）にカード２を回収したり、Ｆ、Ｂ方向に長い規格外のカードを搬送したりするためのものである。７ａ〜７ｄはフォトマイクロセンサから構成されるカード位置検出センサである。これらのセンサ７ａ〜７ｄは、カード２が本体内部１ａの所定の位置に搬送されたことを検出する。なお、センサ７ａ〜７ｄはカード２を検知していないときはＯＦＦ状態であるが、カード２を検知するとＯＮ状態になる。
【００２１】
８はカードリーダ１００側のＩＣ接点であって、ソレノイドによって上下方向Ｕ、Ｄに移動する。このＩＣ接点８は、カード２がローラ６ａによって本体内部１ａに搬送されて、図１に示すように停止すると、カード２内部のＩＣから情報を読み取るために、破線で示す位置から実線で示す位置に移動して、カード２側のＩＣ接点２ａに接触する。なお、ＩＣ接点８は、ソレノイドによって移動せずに、実線で示す位置に固定されていてもよい。９はソレノイドによって上下方向Ｕ、Ｄに移動するストッパである。このストッパ９は、常時実線で示す位置にあって、ローラ６ａによって搬送されるカード２をＩＣ接点８とＩＣ接点２ａとが接触可能な位置に停止させる。また、ストッパ９は、上述したように上位装置３０の回収箱にカード２を回収する際等に、破線で示す位置に移動して、ローラ６ａ、６ｂによって搬送されるカード２を通過させる。
【００２２】
以上において、挿入口１ｂは、本発明における挿入口の一実施形態を構成し、カード通路１ｃは、本発明におけるカード通路の一実施形態を構成する。カード幅検出センサ３は、本発明における幅検出手段の一実施形態を構成し、磁性体検出センサ４は、本発明における磁性体検出手段の一実施形態を構成し、シャッタ５は、本発明におけるシャッタの一実施形態を構成する。
【００２３】
図４は、上記ＩＣカードリーダ１００の電気的構成を示すブロック図である。
図４において、１１はＩＣカードリーダ１００の各部を制御する制御部であって、ＣＰＵ、ＲＯＭ、ＲＡＭ、および後記の制御回路等から構成される。なお、ＲＯＭにはＣＰＵの動作プログラム等が記憶されていて、ＲＡＭにはＣＰＵが各部を制御する制御データが読み書き可能に記憶される。１２はＲＡＭや不揮発性メモリ等から構成される記憶部である。１３は前述のＩＣ接点８を介してＩＣカード２のＩＣと通信を行うための通信回路からなるＩＣカード用通信部である。制御部１１は、この通信部１３によってＩＣ接点８からＩＣカード２のＩＣ接点２ａに通電し、ＩＣカード２のＩＣから情報を読み取る。１４は前述のシャッタ５やＩＣ接点８やストッパ９をそれぞれ移動させる複数のソレノイドである。制御部１１は、各ソレノイド１４の駆動を制御するための制御回路を備えていて、それぞれの回路によって各ソレノイド１４を駆動し、シャッタ５を開閉させたりＩＣ接点８やストッパ９を移動させたりする。１５は前述のローラ６ａ、６ｂを回転させるモータである。制御部１１は、モータ１５の駆動を制御するための制御回路を備えていて、その回路によってモータ１５を正転駆動または逆転駆動し、ローラ６ａ、６ｂを回転させてカード２を本体内部１ａの所定の位置に所定の速度で搬送する。
【００２４】
３は前述のカード幅検出センサ、４は前述の磁性体検出センサ、７ａ〜７ｄは前述のカード位置検出センサである。制御部１１は、前述したカード幅検出センサ３が出力する信号と、磁性体検出センサ４が出力する電圧値に基づいて、後述するように挿入口１ｂにＩＣカード２が挿入されたか異物が挿入されたかを判別する。１６は上位装置３０と相互に通信を行うための通信回路からなる上位装置用通信部である。制御部１１は、この通信部１６によってカード２から読み取った情報を上位装置３０に送信する。以上の構成において、制御部１１は、本発明における判別手段と、開閉制御手段の一実施形態をそれぞれ構成する。ＩＣ接点８とＩＣカード用通信部１３とは、本発明における読み取り手段の一実施形態を構成する。
【００２５】
図８は、上記ＩＣカードリーダ１００の動作手順を示すフローチャートである。各処理は、制御部１１（詳しくは、制御部１１に備わるＣＰＵ）が実行する。
なお、本手順を説明するにあたり、ＩＣカードリーダ１００へのカード２の挿入状態を示す図５と、異物の挿入状態を示す図６および図７を適宜参照する。
【００２６】
図５に示すように、ＩＣカード２が挿入口１ｂに挿入された場合は、カード幅検出センサ３が、カード２のＬ方向側の端部２ｂを検出して、ＯＦＦ状態からＯＮ状態への切り替わり信号を制御部１１に出力する。また、磁性体検出センサ４が、挿入口１ｂ近傍の磁界の変化からカード２のＩＣ接点２ａを検出して、所定値の電圧を制御部１１に出力する。これらにより、制御部１１は、カード幅検出センサ３がカード幅Ｗ２の物体を検出し（図８のステップＳ１：ＹＥＳ）、磁性体検出センサ４が磁性体を検出したので（ステップＳ２：ＹＥＳ）、ＩＣカードが挿入口１ｂに挿入されたと判断する（ステップＳ５）。なお、この判断結果は、記憶部１２（図４）に記録されたり、通信部１６（図４）によって上位装置３０に送られたりする。
【００２７】
ＩＣカードが挿入されたと判断すると、制御部１１は、そのカード２を取り扱うために、シャッタ５（図１）を開けて（ステップＳ６）、モータ１５の正転駆動を開始する（ステップＳ７）。これにより、カード２は、シャッタ５の下を通って、ローラ６ａによって本体内部１ａへＦ方向に搬送されて行く。そして、カード位置検出センサ７ａ（図１）がカード２を検知しなくなってＯＦＦ状態となり、カード位置検出センサ７ｂ、７ｃ（図１）がカード２を検知してＯＮ状態となると、制御部１１は、カード２を所定の位置で検出したと判断して（ステップＳ８）、所定時間経過後にモータ１５の駆動を停止する（ステップＳ９）。これにより、カード２は、図１に示したようにＩＣ接点２ａにカードリーダ１００側のＩＣ接点８が接触可能な位置に停止する。モータ１５の駆動を停止すると、制御部１１は、ＩＣ接点８をカード２側のＩＣ接点２ａに接触させて、通信部１３（図４）によってカード２のＩＣと通信を行い、ＩＣから情報を読み取る（ステップＳ１０）。そして、制御部１１は、読み取った情報を通信部１６によって上位装置３０に送り、その後、上位装置３０から読み取った情報に対する処理が完了したことを示す通知を受けると、ＩＣ接点８をＩＣ接点２ａから離して、モータ１５の逆転駆動を開始する（ステップＳ１１）。これにより、カード２はローラ６ａによってＢ方向に搬送されて、挿入口１ｂに排出される。このとき、カード幅検出センサ３がカード２の端部２ｂを検出してＯＮ状態となる。そして、カード２が挿入口１ｂから抜き取られると、カード幅検出センサ３がＯＦＦ状態になるので、制御部１１はシャッタ５を閉じて（ステップＳ１２）、モータ１５の駆動を停止し（ステップＳ１３）、処理を終了する。
【００２８】
一方、図６に示すように、カード２と同じ幅Ｗ２を有しているがカード２と同様の位置にＩＣ接点２ａのような磁性体のない合成樹脂製の板状の異物５０が挿入口１ｂに挿入された場合は、カード幅検出センサ３が、異物５０のＬ方向側の端部５０ａを検出して、ＯＦＦ状態からＯＮ状態への切り替わり信号を制御部１１に出力する。また、磁性体検出センサ４が、挿入口１ｂ近傍の磁界が殆ど変化しないため磁性体を検出せず、ＩＣ接点２ａのような磁性体接近時とは異なる所定値の電圧を制御部１１に出力する。これらにより、制御部１１は、カード幅検出センサ３がカード幅Ｗ２の物体を検出し（図８のステップＳ１：ＹＥＳ）、磁性体検出センサ４が磁性体を検出していないので（ステップＳ２：ＮＯ）、異物が挿入口１ｂに挿入されたと判断する（ステップＳ４）。なお、この判断結果は、記憶部１２に記録されたり、通信部１６によって上位装置３０に送られて、上位装置３０でディスプレイやＬＥＤにより表示されたりする。異物が挿入されたと判断すると、制御部１１は、その異物をカードとして取り扱うことなく、処理を終了する。
【００２９】
また、図７に示すように、カード幅Ｗ２より小さな幅Ｗ３を有するスクリュードライバのような金属製の磁性体からなる棒状の異物５１が挿入口１ｂに挿入された場合は、カード幅検出センサ３が、異物５１を検出せずにＯＦＦ信号を制御部１１に出力する。また、磁性体検出センサ４が、挿入口１ｂ近傍の磁界の変化から磁性体である金属製の異物５１を検出して、ＩＣカード２挿入時と同様の所定値の電圧を制御部１１に出力する。これらにより、制御部１１は、カード幅検出センサ３がカード幅Ｗ２の物体を検出せず（図８のステップＳ１：ＮＯ）、磁性体検出センサ４が磁性体を検出したので（ステップＳ３：ＹＥＳ）、異物が挿入口１ｂに挿入されたと判断する（ステップＳ４）。このように判断すると、制御部１１は、その異物をカードとして取り扱うことなく、処理を終了する。
【００３０】
またさらに、図７の異物５１が挿入口１ｂからカード幅検出センサ３と磁性体検出センサ４の間や、磁性体検出センサ４のＲ方向側に挿入された場合は、カード幅検出センサ３が異物５１を検出せずにＯＦＦ信号を出力し、磁性体検出センサ４が異物５１を検出せずに磁性体接近時とは異なる所定値の電圧を出力する。
これらにより、制御部１１は、カード幅検出センサ３がカード幅Ｗ２の物体を検出せず（ステップＳ１：ＮＯ）、磁性体検出センサ４が磁性体を検出していないので（ステップＳ３：ＮＯ）、挿入口１ｂには何も挿入されていないと判断する。そして、制御部１１は、ステップＳ１に移行し、カード幅検出センサ３または磁性体検出センサ４から新たな出力があるのを待つ。
【００３１】
上述したように第１実施形態では、挿入口１ｂに挿入された物体の幅をカード幅検出センサ３で検出するのに加えて、その物体が所定の位置に磁性体を備えているか否かを磁性体検出センサ４で検出する。このため、カード幅Ｗ２を有し、所定の位置にＩＣ接点２ａを備えた正規のＩＣカード２が挿入された場合は、それをＩＣカードであると判別することができる。また、カード幅Ｗ２を有しているがＸ位置（図２）を通るように磁性体を備えていない異物５０や、カード幅Ｗ２を有していない異物５１が挿入された場合は、それらを異物であると判別することができる。そして、ＩＣカードであると判別した場合にのみ、挿入された物体（ＩＣカード２）をカードとして取り扱うので、異物５０、５１をカードとして取り扱わなくなる。
【００３２】
また、ＩＣカードが挿入されたと判別された場合にのみ、シャッタ５を開くことで、異物５０、５１が挿入口１ｂに挿入されても、ＩＣカードであると判別されず、シャッタ５が開かれないので、異物５０、５１が本体内部１ａに進入することはなく、シャッタ５の近傍やこれより本体内部１ａ側の通路１ｃで異物５０、５１が詰まったり、本体内部１ａのローラ６ａ、６ｂやＩＣ接点８等のような部品が異物５０、５１によって損傷したりするのを防止することができる。さらに、金属製の異物５１に対して情報を読み取ろうとしてＩＣ接点８を接触させて通電すると、ＩＣ接点８が短絡して、ＩＣ接点８や回路からなる通信部１３が電気的に破損してしまう。然るに、上述したようにＩＣカードが挿入されたと判別された場合にのみ、情報の読み取り処理を行うことで、異物５１が挿入口１ｂに挿入されても、ＩＣカードであると判別されず、その異物５１に対して情報の読み取り処理が行われないので、ＩＣ接点８や通信部１３が電気的に破損するのを防止することができる。
【００３３】
図９〜図１４は、本発明の第２実施形態を示す図である。なお、図９〜図１３では、前述の図１〜図７と同一部分には同一符号を付してあり、図１４では、図８と同一処理については同一符号を付してある。
【００３４】
本実施形態に係るＩＣカードリーダ１０１には、図１１のブロック図に示すように第１磁性体検出センサ４１と第２磁性体検出センサ４２とが設けられている。これらは、前述した磁性体検出センサ４（例えば、図４）と同様にホール素子と磁石とからそれぞれ構成されている。第１磁性体検出センサ４１は、図１０に示すように挿入口１ｂ近傍の通路１ｃのＵ方向側で、カード２のＩＣ接点２ａが通る位置Ｘ（図９に図示）に配置されている。第２磁性体検出センサ４２は、図１０に示すように挿入口１ｂ近傍の通路１ｃのＵ方向側で、カード２のＩＣ接点２ａが通る位置Ｘとは異なる位置Ｙ、つまりＩＣ接点２ａが通らない位置Ｙに配置されている。これらのセンサ４１、４２は、シャッタ５よりも挿入口１ｂ側で磁石によって発生させている磁界の変化に基づき、挿入口１ｂに金属等の磁性体が挿入されたか否かをそれぞれ検出する。例えば、ＩＣ接点２ａのような金属の磁性体が近づくと、磁石の磁界が変化するので、ホール素子がこの変化を検知して所定値の電圧を制御部１１に出力する。また、磁性体が近づかなければ、磁石の磁界が殆ど変化しないので、ホール素子が上記の磁性体接近時とは異なる所定値の電圧を制御部１１に出力する。なお、第１磁性体検出センサ４１は、カード２のＩＣ接点２ａを検出するために、ＩＣ接点２ａと対向する通路１ｃのＵ方向側に設けるのが好ましいが、第２磁性体検出センサ４２は、通路１ｃのＵ方向側ではなく、例えば通路１ｃのＤ方向側に設けてもよい。上記の第１磁性体検出センサ４１は、本発明における第１の磁性体検出手段の一実施形態を構成し、上記の第２磁性体検出センサ４２は、本発明における第２の磁性体検出手段の一実施形態を構成する。
【００３５】
図１４は、上記ＩＣカードリーダ１０１の動作手順を示すフローチャートである。なお、本手順を説明するにあたり、図１２および図１３と、前述の図６および図７を適宜参照する。図１２に示すように、ＩＣカード２が挿入口１ｂに挿入された場合は、カード幅検出センサ３が、カード２のＬ方向側の端部２ｂを検出して、ＯＦＦ状態からＯＮ状態への切り替わり信号を制御部１１に出力する。また、第１磁性体検出センサ４１が、挿入口１ｂ近傍の磁界の変化からカード２のＩＣ接点２ａを検出して、所定値の電圧を制御部１１に出力する。さらに、第２磁性体検出センサ４２が、挿入口１ｂ近傍の磁界が殆ど変化しないため磁性体を検出せず、磁性体接近時とは異なる所定値の電圧を制御部１１に出力する。これらにより、制御部１１は、カード幅検出センサ３がカード幅Ｗ２の物体を検出し（図１４のステップＳ１：ＹＥＳ）、第１磁性体検出センサ４１が磁性体を検出し（ステップＳ２ａ：ＹＥＳ）、第２磁性体検出センサ４２が磁性体を検出していないので（ステップＳ２ｂ：ＮＯ）、ＩＣカードが挿入口１ｂに挿入されたと判断する（ステップＳ５）。このように判断すると、制御部１１は、挿入されたＩＣカード２を取り扱うために、図８で説明したのと同様にステップＳ６〜ステップＳ１３の処理を実行し、実行後にＩＣカード２に対する処理を終了する。
【００３６】
一方、図１３に示すように、カード２と略同じ幅Ｗ２’を有する金属製の磁性体からなるヘラのような板状の異物５２が挿入口１ｂに挿入された場合は、カード幅検出センサ３が、異物５２のＬ方向側の端部５２ａを検出して、ＯＦＦ状態からＯＮ状態への切り替わり信号を制御部１１に出力する。また、第１磁性体検出センサ４１と第２磁性体検出センサ４２とが、挿入口１ｂ近傍の磁界の変化から磁性体である金属製の異物５２を検出して、所定値の電圧を制御部１１にそれぞれ出力する。これらにより、制御部１１は、カード幅検出センサ３がカード幅Ｗ２の物体を検出し（図１４のステップＳ１：ＹＥＳ）、第１磁性体検出センサ４１が磁性体を検出し（ステップＳ２ａ：ＹＥＳ）、第２磁性体検出センサ４２も磁性体を検出したので（ステップＳ２ｂ：ＹＥＳ）、異物が挿入口１ｂに挿入されたと判断する（ステップＳ４）。そしてこのように判断すると、制御部１１は、挿入された異物５２をカードとして取り扱うことなく、処理を終了する。
【００３７】
また、図６に示したように、カード２と同じ幅Ｗ２を有しているがＩＣ接点２ａのような磁性体のない合成樹脂製の板状の異物５０が挿入口１ｂに挿入された場合は、カード幅検出センサ３が、異物５０のＬ方向側の端部５０ａを検出して、ＯＦＦ状態からＯＮ状態への切り替わり信号を制御部１１に出力する。また、第１磁性体検出センサ４１と第２磁性体検出センサ４２とが、挿入口１ｂ近傍の磁界が殆ど変化しないため異物５０を検出せず、磁性体接近時とは異なる所定値の電圧を制御部１１にそれぞれ出力する。これらにより、制御部１１は、カード幅検出センサ３がカード幅Ｗ２の物体を検出し（図１４のステップＳ１：ＹＥＳ）、第１磁性体検出センサ４１が磁性体を検出していないので（ステップＳ２ａ：ＮＯ）、異物が挿入口１ｂに挿入されたと判断する（ステップＳ４）。そしてこのように判断すると、制御部１１は、挿入された異物５０をカードとして取り扱うことなく、処理を終了する。
【００３８】
また、図７に示したように、カード幅Ｗ２より小さな幅Ｗ３を有する金属製の棒状の異物５１が挿入口１ｂから第１磁性体検出センサ４１の下方に挿入された場合は、カード幅検出センサ３が、異物５１を検出せずにＯＦＦ信号を制御部１１に出力する。また、第１磁性体検出センサ４１が、挿入口１ｂ近傍の磁界の変化から磁性体である金属製の異物５１を検出して、所定値の電圧を制御部１１に出力する。さらに、第２磁性体検出センサ４２が、挿入口１ｂ近傍の磁界が殆ど変化しないため異物５１を検出せず、磁性体接近時とは異なる所定値の電圧を制御部１１に出力する。これらにより、制御部１１は、カード幅検出センサ３がカード幅Ｗ２の物体を検出せず（図１４のステップＳ１：ＮＯ）、第１磁性体検出センサ４１が磁性体を検出したので（ステップＳ２ｃ：ＹＥＳ）、異物が挿入口１ｂに挿入されたと判断する（ステップＳ４）。そしてこのように判断すると、制御部１１は、挿入された異物５１をカードとして取り扱うことなく、処理を終了する。
【００３９】
また、図７の異物５１が挿入口１ｂから第２磁性体検出センサ４２の下方に挿入された場合は、カード幅検出センサ３が、異物５１を検出せずにＯＦＦ信号を制御部１１に出力する。また、第１磁性体検出センサ４１が、挿入口１ｂ近傍の磁界が殆ど変化しないため異物５１を検出せず、磁性体接近時とは異なる所定値の電圧を制御部１１に出力する。さらに、第２磁性体検出センサ４２が、挿入口１ｂ近傍の磁界の変化から異物５１を検出して、所定値の電圧を制御部１１に出力する。これらにより、制御部１１は、カード幅検出センサ３がカード幅Ｗ２の物体を検出せず（図１４のステップＳ１：ＮＯ）、第１磁性体検出センサ４１が磁性体を検出せず（ステップＳ２ｃ：ＮＯ）、第２磁性体検出センサ４２が磁性体を検出したので（ステップＳ２ｄ：ＹＥＳ）、異物が挿入口１ｂに挿入されたと判断する（ステップＳ４）。そしてこのように判断すると、制御部１１は、挿入された異物５１をカードとして取り扱うことなく、処理を終了する。
【００４０】
またさらに、図７の異物５１が挿入口１ｂからカード幅検出センサ３と第２磁性体検出センサ４２の間や、第２磁性体検出センサ４２と第１磁性体検出センサ４１の間や、第１磁性体検出センサ４１のＲ方向側に挿入された場合は、カード幅検出センサ３が異物５１を検出せずにＯＦＦ信号を出力する。また、第１磁性体検出センサ４１と第２磁性体検出センサ４２とが異物５１を検出せずに磁性体接近時とは異なる所定値の電圧をそれぞれ出力する。これらにより、制御部１１は、カード幅検出センサ３がカード幅Ｗ２の物体を検出せず（ステップＳ１：ＮＯ）、第１磁性体検出センサ４１が磁性体を検出せず（ステップＳ２ｃ：ＮＯ）、第２磁性体検出センサ４２も磁性体を検出していないので（ステップＳ２ｄ：ＮＯ）、挿入口１ｂには何も挿入されていないと判断する。そして、制御部１１は、ステップＳ１に移行し、上記３つのセンサ３、４１、４２から新たな出力があるのを待つ。
【００４１】
上述したように第２実施形態では、挿入口１ｂに挿入された物体の幅をカード幅検出センサ３で検出するのに加えて、その物体が所定の位置に磁性体を備えているか否かを第１磁性体検出センサ４１で検出し、さらに、その物体が所定の位置とは異なる位置に磁性体を備えているか否かを第２磁性体検出センサ４２で検出する。このため、カード幅Ｗ２を有し、所定の位置にＩＣ接点２ａを備え、Ｙ位置（図９）を通るように磁性体を備えていない正規のＩＣカード２が挿入された場合は、それをＩＣカードであると判別することができる。また、カード２と略同幅Ｗ２’を有しているがＹ位置を通るように磁性体を備えている異物５２や、カード幅Ｗ２を有しているがＸ位置（図９）を通るように磁性体を備えていない異物５０や、カード幅Ｗ２を有していない異物５１が挿入された場合は、それらを異物であると判別することができる。そして、ＩＣカードであると判別した場合にのみ、挿入された物体（ＩＣカード２）をカードとして取り扱うので、異物５０、５１、５２をカードとして取り扱わなくなる。
【００４２】
図１５〜図１７は、本発明の第３実施形態を示す図である。なお、図１５および図１６では、前述の図５〜図７および図１２、図１３と同一部分には同一符号を付してあり、図１７では、図８および図１４と同一処理については同一符号を付してある。
【００４３】
本実施形態に係るＩＣカードリーダ１０２には、図１５および図１６に示すように、第２実施形態で説明した第２磁性体検出センサ４２のみが設けられていて、第１磁性体検出センサ４１は設けられていない。このため、第２磁性体検出センサ４２が、シャッタ５よりも挿入口１ｂ側で磁石によって発生させている磁界の変化に基づき、挿入口１ｂに金属等の磁性体が挿入されたか否かを検出する。
このような第２磁性体検出センサ４２は、本発明における磁性体検出手段の一実施形態を構成する。
【００４４】
図１７は、上記ＩＣカードリーダ１０２の動作手順を示すフローチャートである。なお、本手順を説明するにあたり、図１５および図１６と、前述の図７を適宜参照する。図１５に示すように、ＩＣカード２が挿入口１ｂに挿入された場合は、カード幅検出センサ３が、カード２のＬ方向側の端部２ｂを検出して、ＯＦＦ状態からＯＮ状態への切り替わり信号を制御部１１に出力する。また、第２磁性体検出センサ４２が、挿入口１ｂ近傍の磁界が殆ど変化しないため磁性体を検出せず、磁性体接近時とは異なる所定値の電圧を制御部１１に出力する。これらにより、制御部１１は、カード幅検出センサ３がカード幅Ｗ２の物体を検出し（図１７のステップＳ１：ＹＥＳ）、第２磁性体検出センサ４２が磁性体を検出していないので（ステップＳ３ａ：ＮＯ）、ＩＣカードが挿入口１ｂに挿入されたと判断する（ステップＳ５）。このように判断すると、制御部１１は、挿入されたＩＣカード２を取り扱うために、図８で説明したのと同様にステップＳ６〜ステップＳ１３の処理を実行し、実行後にＩＣカード２に対する処理を終了する。
【００４５】
一方、図１６に示すように、カード２と略同じ幅Ｗ２’を有する金属製のヘラのような板状の異物５２が挿入口１ｂに挿入された場合は、カード幅検出センサ３が、異物５２のＬ方向側の端部５２ａを検出して、ＯＦＦ状態からＯＮ状態への切り替わり信号を制御部１１に出力する。また、第２磁性体検出センサ４２が、挿入口１ｂ近傍の磁界の変化から磁性体である金属製の異物５２を検出して、所定値の電圧を制御部１１にそれぞれ出力する。これらにより、制御部１１は、カード幅検出センサ３がカード幅Ｗ２の物体を検出し（図１７のステップＳ１：ＹＥＳ）、第２磁性体検出センサ４２が磁性体を検出したので（ステップＳ３ａ：ＹＥＳ）、異物が挿入口１ｂに挿入されたと判断する（ステップＳ４）。そしてこのように判断すると、制御部１１は、挿入された異物５２をカードとして取り扱うことなく、処理を終了する。
【００４６】
また、図７に示した、カード幅Ｗ２より小さな幅Ｗ３を有する金属製の棒状の異物５１が挿入口１ｂから第２磁性体検出センサ４２の下方に挿入された場合は、カード幅検出センサ３が、異物５１を検出せずにＯＦＦ信号を制御部１１に出力する。また、第２磁性体検出センサ４２が、挿入口１ｂ近傍の磁界の変化から磁性体である金属製の異物５１を検出して、所定値の電圧を制御部１１にそれぞれ出力する。これらにより、制御部１１は、カード幅検出センサ３がカード幅Ｗ２の物体を検出せず（図１７のステップＳ１：ＮＯ）、第２磁性体検出センサ４２が磁性体を検出したので（ステップＳ３ｂ：ＹＥＳ）、異物が挿入口１ｂに挿入されたと判断する（ステップＳ４）。そしてこのように判断すると、制御部１１は、挿入された異物５１をカードとして取り扱うことなく、処理を終了する。
【００４７】
またさらに、図７の異物５１が挿入口１ｂからカード幅検出センサ３と第２磁性体検出センサ４２の間や、第２磁性体検出センサ４２のＲ方向側に挿入された場合は、カード幅検出センサ３が異物５１を検出せずにＯＦＦ信号を出力する。
また、第２磁性体検出センサ４２が異物５１を検出せずに磁性体接近時とは異なる所定値の電圧を出力する。これらにより、制御部１１は、カード幅検出センサ３がカード幅Ｗ２の物体を検出せず（ステップＳ１：ＮＯ）、第２磁性体検出センサ４２が磁性体を検出していないので（ステップＳ３ｂ：ＮＯ）、挿入口１ｂには何も挿入されていないと判断する。そして、制御部１１は、ステップＳ１に移行し、上記２つのセンサ３、４２から新たな出力があるのを待つ。
【００４８】
上述したように第３実施形態では、挿入口１ｂに挿入された物体の幅をカード幅検出センサ３で検出するのに加えて、その物体が所定の位置とは異なる位置に磁性体を備えているか否かを第２磁性体検出センサ４２で検出する。このため、カード幅Ｗ２を有し、Ｙ位置（図９）を通るように磁性体を備えていない正規のＩＣカード２が挿入された場合は、それをＩＣカードであると判別することができる。また、カード２と略同じ幅Ｗ２’を有しているがＹ位置を通るように磁性体を備えている異物５２や、カード幅Ｗ２を有していない異物５１がＹ位置を通るように挿入された場合は、それらを異物であると判別することができる。そして、ＩＣカードであると判別した場合にのみ、挿入された物体（ＩＣカード２）をカードとして取り扱うので、異物５１、５２をカードとして取り扱わなくなる。
【００４９】
以上述べた実施形態においては、ＩＣカード２のＩＣ接点２ａを磁性体として検出する位置Ｘに、磁性体検出センサ４または第１磁性体検出センサ４１を設け、ＩＣ接点２ａを磁性体として検出しない位置Ｙに、第２磁性体検出センサ４２を設けた場合を例に挙げているが、本発明はこれのみに限定するものではない。
これ以外に、例えば、ＩＣカード２のＩＣを磁性体として検出する位置に、磁性体検出センサ４または第１磁性体検出センサ４１を設け、ＩＣを磁性体として検出しない位置に、第２磁性体検出センサ４２を設けるようにしてもよい。（ＩＣは、銅パターンやアルミパターン等の磁性体を含んで構成されている。）また、シャッタ５より挿入口１ｂ側の通路１ｃ全体にわたって金属等の磁性体を検出できるように、磁性体検出センサを設けるようにしてもよい。
【００５０】
また、以上の実施形態では、本発明における幅検出手段として、１つのフォトインタラプタから構成されるカード幅検出センサ３を用いた場合を例に挙げているが、本発明はこれのみに限定するものではない。これ以外に、カード幅検出センサとして、例えば２つ（３つ以上でもよい）のフォトインタラプタを用いて、通路１ｃのＬ方向側とＲ方向側の両側面に配置するようにしてもよい。また、フォトインタラプタに代えて、マイクロスイッチ等を用いてもよい。つまり、本発明の幅検出手段は、挿入口１ｂに挿入された物体がカード幅Ｗ２のような所定の幅を有しているか否かを検出することができるものであればよい。
【００５１】
また、以上の実施形態では、本発明における磁性体検出手段として、ホール素子と磁石とから構成される磁性体検出センサ４、４１、４２を用いた場合を例に挙げているが、本発明はこれのみに限定するものではない。これ以外に、磁性体検出センサとして、例えば、磁気抵抗素子と磁石や、サーチコイル、磁気インダクタンス素子、磁気インピーダンス素子等を用いてもよい。また、磁石として電磁石を用いていもよい。つまり、本発明の磁性体検出手段は、挿入口１ｂ近傍の磁界の変化を電圧値や抵抗値等として出力することができるものであればよい。
この磁界の変化には、周波数の変化、位相の変化、振幅の変化がある。また、各磁性体検出センサ４、４１、４２を１つだけでなく、２つ以上設けるようにしてもよい。このようにすると、挿入口１ｂに挿入された磁性体を一層精度よく検出することができる。
【００５２】
また、以上の実施形態では、カード２の進入を規制するシャッタ５と、カード２を搬送する搬送手段としてのモータ１５およびローラ６ａを設けたＩＣカードリーダ１００〜１０２に、本発明を適用した場合を例に挙げているが、本発明はこれ以外にも、シャッタや搬送手段を設けていないカード情報読み取り装置に適用することができる。
【００５３】
さらに、以上の実施形態では、所定の位置にＩＣ接点２ａを備えた接触式のＩＣカード２に対して情報の読み取りを行うＩＣカードリーダ１００〜１０２に、本発明を適用した場合を例に挙げているが、本発明はこれ以外にも、所定の位置に磁気ストライプを備えた磁気カードに対して情報の読み取りを行う磁気カードリーダや、所定の位置にＩＣやコイルを備えた非接触式のＩＣカードに対して情報の読み取りを行うＩＣカードリーダに適用することができる。これらの場合、磁気ストライプや、ＩＣまたはコイルを磁性体として検出する位置に磁性体検出センサ４または第１磁性体検出センサ４１を設け、それらを磁性体として検出しない位置に第２磁性体検出センサ４２を設けるようにすればよい。また、本発明は、ＩＣ接点、磁気ストライプ、非接触通信用のコイルのうち、いずれか２つ以上を組み合わせて備えるハイブリッドカードに対して情報の読み取りを行うハイブリッドカード用のカードリーダにも適用することができる。つまり、本発明は、各種のカードに対して情報の読み取りを行うカード情報読み取り装置に適用することができる。
【符号の説明】
【００５４】
１ａ  本体内部
１ｂ  挿入口
１ｃ  カード通路
２  ＩＣカード
２ａ  カード側ＩＣ接点
３  カード幅検出センサ
４  磁性体検出センサ
５  シャッタ
８  カードリーダ側ＩＣ接点
１１  制御部
１３  ＩＣカード用通信部
４１  第１磁性体検出センサ
４２  第２磁性体検出センサ
１００  ＩＣカードリーダ
１０１  ＩＣカードリーダ
１０２  ＩＣカードリーダ
Ｗ２  カード幅
Ｘ  カード側ＩＣ接点がカード通路を通る位置
Ｙ  カード側ＩＣ接点がカード通路を通る位置とは異なる位置
【図１】
2010009617.tif 000003
【図２】
2010009617.tif 000004
【図３】
2010009617.tif 000005
【図４】
2010009617.tif 000006
【図５】
2010009617.tif 000007
【図６】
2010009617.tif 000008
【図７】
2010009617.tif 000009
【図８】
2010009617.tif 000010
【図９】
2010009617.tif 000011
【図１０】
2010009617.tif 000012
【図１１】
2010009617.tif 000013
【図１２】
2010009617.tif 000014
【図１３】
2010009617.tif 000015
【図１４】
2010009617.tif 000016
【図１５】
2010009617.tif 000017
【図１６】
2010009617.tif 000018
【図１７】
2010009617.tif 000019